(57)【要約】      （修正有）【課題】寸法精度が高く、さらには他の外輪アッシィおよび内輪アッシィとの互換性が確保された分離型複列アンギュラ玉軸受とその外輪アッシィおよび内輪アッシィを提供する。【解決手段】分離型複列アンギュラ玉軸受１００は、外輪１１６と内輪１１８と２列の玉１２０、１２２とを備えている。外輪１１６は２列の軌道溝１３０、１３２のうち、軌道溝１３２が肩を落としたカウンタボア形状１３４である。内輪１１８は２列の軌道溝１３８、１４０のうち、軌道溝１４０が肩を落としたカウンタボア形状１４２である。外輪アッシィ１２４は、外輪１１６と、軌道溝１３０に保持された玉１２０の列とを含んでいる。内輪アッシィ１２６は、内輪１１８と、軌道溝１４０に保持された玉１２２の列とを含んでいる。外輪アッシィ１２４の玉１２０は、称呼寸法からなる理想的な形状の基準内輪に対し、所定の組幅精度になる寸法のものであることを特徴とする。【選択図】図２
2018096395.tif 000002
【特許請求の範囲】
【請求項１】
外輪と内輪と２列の玉とを備えた分離型複列アンギュラ玉軸受において、
前記外輪は２列の軌道溝のうち一方側の軌道溝が肩を落としたカウンタボア形状であり、
前記内輪は２列の軌道溝のうち他方側の軌道溝が肩を落としたカウンタボア形状であり、
前記外輪と前記カウンタボアの形成されていない軌道溝に保持された玉の列とを含む外輪アッシィが形成され、
前記内輪と前記カウンタボアの形成されていない軌道溝に保持された玉の列とを含む内輪アッシィが形成されていて、
前記外輪アッシィの玉は、称呼寸法からなる理想的な形状の内輪アッシィに対して所定の組幅精度になる寸法のものであることを特徴とする分離型複列アンギュラ玉軸受。
【請求項２】
外輪と内輪と２列の玉とを備えた分離型複列アンギュラ玉軸受において、
前記外輪は２列の軌道溝のうち一方側の軌道溝が肩を落としたカウンタボア形状であり、
前記内輪は２列の軌道溝のうち他方側の軌道溝が肩を落としたカウンタボア形状であり、
前記外輪と前記カウンタボアの形成されていない軌道溝に保持された玉の列とを含む外輪アッシィが形成され、
前記内輪と前記カウンタボアの形成されていない軌道溝に保持された玉の列とを含む内輪アッシィが形成されていて、
前記内輪アッシィの玉は、称呼寸法からなる理想的な形状の外輪アッシィに対して所定の組幅精度になる寸法のものであることを特徴とする分離型複列アンギュラ玉軸受。
【請求項３】
所定の内輪アッシィと分離可能に組み合されて分離型複列アンギュラ玉軸受となる外輪アッシィにおいて、
外輪の２列の軌道溝のうち一方側の軌道溝が肩を落としたカウンタボア形状であり、
前記外輪の前記カウンタボアの形成されていない軌道溝に玉の列が保持されていて、
前記玉は、称呼寸法からなる理想的な形状の内輪アッシィに対して所定の組幅精度になる寸法のものであることを特徴とする外輪アッシィ。
【請求項４】
所定の外輪アッシィと分離可能に組み合されて分離型複列アンギュラ玉軸受となる内輪アッシィにおいて、
内輪の２列の軌道溝のうち一方側の軌道溝が肩を落としたカウンタボア形状であり、
前記内輪の前記カウンタボアの形成されていない軌道溝に玉の列が保持されていて、
前記玉は、称呼寸法からなる理想的な形状の外輪アッシィに対して所定の組幅精度になる寸法のものであることを特徴とする内輪アッシィ。
【請求項５】
外輪と内輪と２列の玉とを備えた分離型複列アンギュラ玉軸受において、
前記外輪は２列の軌道溝のうち一方側の軌道溝が肩を落としたカウンタボア形状であり、
前記内輪は２列の軌道溝のうち他方側の軌道溝が肩を落としたカウンタボア形状であり、
前記外輪と前記カウンタボアの形成されていない軌道溝に保持された玉の列とを含む外輪アッシィが形成され、
前記内輪と前記カウンタボアの形成されていない軌道溝に保持された玉の列とを含む内輪アッシィが形成されていて、
前記外輪アッシィの玉は、称呼寸法からなる理想的な形状の内輪アッシィに対して所定の組幅精度になる寸法のものであり、
前記内輪アッシィの玉は、称呼寸法からなる理想的な形状の外輪アッシィに対して所定の組幅精度になる寸法のものであることを特徴とする分離型複列アンギュラ玉軸受。
【請求項６】
前記外輪および前記内輪が玉と多点接触可能になっていることを特徴とする請求項５に記載の分離型複列アンギュラ玉軸受。
【発明の詳細な説明】
【技術分野】
【０００１】
本発明は、分離型複列アンギュラ玉軸受とその外輪アッシィおよび内輪アッシィに関するものである。
【背景技術】
【０００２】
アンギュラ玉軸受はラジアル荷重とアキシアル荷重とを同時に支持することができるが、特に複列のものは負荷能力が大きく剛性も高い。そのため複列アンギュラ玉軸受は、例えば自動車のデファレンシャルギヤ（最終減速機）のピニオン軸など、車両や機械等のなかでも比較的大きな荷重のかかる場所に多く使用されている。
【０００３】
特許文献１には、自動車用トランスファーに使用されている複列アンギュラ玉軸受が開示されている。特許文献１の複列アンギュラ形玉軸受１６は、図２に示されているように、外輪側がケーシング１に固定されていて、内輪側が傘ピニオン軸５に固定されている。
【０００４】
自動車部品に使用される複列アンギュラ玉軸受は、ハウジング側に固定された外輪と、軸側に固定された内輪とで、分離可能になっているものも多い。分離型複列アンギュラ玉軸受であれば、あらかじめ外輪をハウジングに固定し、内輪を軸に固定しておくことで、ハウジングに軸を挿入する作業に並行して軸受の組付け作業も完了できる。そのため、強固に組み付けられた非分離型の軸受が存在する状態でハウジングに軸を挿入する場合に比べて、作業の労力を減らすことができる。
【先行技術文献】
【特許文献】
【０００５】
【特許文献１】特許第４０５８２４１号公報
【発明の概要】
【発明が解決しようとする課題】
【０００６】
しかしながら、自動車部品等に使用される軸受の外輪や内輪、および玉（鋼球）は、金属製品として厳格な品質管理の元で加工されているものの、同じ称呼寸法（基準値）で製造された同じロットの物同士であってもわずかながら寸法差が生じる。そのため、従来の分離型複列アンギュラ玉軸受にあっては、軸受として完成した状態における寸法精度を保つために、外輪と内輪のペアを解消することなく管理する必要があった。例えば、自動車部品等の組立工程において、ある軸受の内輪と外輪のペアを分離させて、内輪に軸をはめ込み、外輪をハウジングにはめ込んだ後には、内輪と外輪が再び同じペアに戻るように軸とハウジングを組み合わせていた。換言すれば、同じ型番の軸受であっても、ある軸受の外輪（または内輪）は他の軸受の内輪（または外輪）と互換性がなかった。
【０００７】
上記のように軸受の内輪と外輪を管理するためには、必然的にある工場のひとつのラインで軸受の分離から再組立てまで行うことになる。しかしながら、近年の生産工程の細分化と多様化によれば、内輪側の部品の組立てと外輪側の部品の組立てとを別々に行い得ることが望ましい。仮にある軸受の外輪（または内輪）が他の軸受の内輪（または外輪）と互換性があれば、内輪側の部品の組立てと外輪側の部品の組立てを他のライン、他の工場、さらには異なる国の生産拠点で製造することも可能となる。すると、例えば、軸に内輪をはめ込んだ上で軸に他の加工を施すことが可能になり、ハウジングに外輪をはめ込んだ上でさらに他の加工を施すことも可能になる。すなわち、軸は軸の工場、ハウジングはハウジングの工場で生産することが可能となり、軸受を設置することによる生産工程の制限がなくなるという大きな利点がある。
【０００８】
本発明は、このような課題に鑑み、寸法精度が高く、さらには他の外輪アッシィおよび内輪アッシィとの互換性が確保された分離型複列アンギュラ玉軸受とその外輪アッシィおよび内輪アッシィを提供することを目的としている。
【課題を解決するための手段】
【０００９】
上記課題を解決するために、本発明にかかる分離型複列アンギュラ玉軸受の代表的な構成は、外輪と内輪と２列の玉とを備えた分離型複列アンギュラ玉軸受において、外輪は２列の軌道溝のうち一方側の軌道溝が肩を落としたカウンタボア形状であり、内輪は２列の軌道溝のうち他方側の軌道溝が肩を落としたカウンタボア形状であり、外輪とカウンタボアの形成されていない軌道溝に保持された玉の列とを含む外輪アッシィが形成され、内輪とカウンタボアの形成されていない軌道溝に保持された玉の列とを含む内輪アッシィが形成されていて、外輪アッシィの玉は、称呼寸法からなる理想的な形状の内輪アッシィに対して所定の組幅精度になる寸法のものであることを特徴とする。
【００１０】
上記構成によれば、玉のゲージ（ロットの平均直径と呼び直径との寸法差）を利用して、外輪の称呼寸法に対する誤差を吸収し、より称呼寸法に近い外輪アッシィが実現できる。したがって、軸受全体としても寸法精度を高め、２列の玉の同時接触性を確保し、品質を向上させることができる。
【００１１】
上記課題を解決するために、本発明にかかる分離型複列アンギュラ玉軸受の他の代表的な構成は、外輪と内輪と２列の玉とを備えた分離型複列アンギュラ玉軸受において、外輪は２列の軌道溝のうち一方側の軌道溝が肩を落としたカウンタボア形状であり、内輪は２列の軌道溝のうち他方側の軌道溝が肩を落としたカウンタボア形状であり、外輪とカウンタボアの形成されていない軌道溝に保持された玉の列とを含む外輪アッシィが形成され、内輪とカウンタボアの形成されていない軌道溝に保持された玉の列とを含む内輪アッシィが形成されていて、内輪アッシィの玉は、称呼寸法からなる理想的な形状の外輪アッシィに対して所定の組幅精度になる寸法のものであることを特徴とする。
【００１２】
上記構成によれば、玉のゲージを利用して、内輪の称呼寸法に対する誤差を吸収し、より称呼寸法に近い内輪アッシィが実現できる。したがって、軸受全体としても寸法精度を高め、２列の玉の同時接触性を確保し、品質を向上させることができる。
【００１３】
上記課題を解決するために、本発明にかかる外輪アッシィの代表的な構成は、所定の内輪アッシィと分離可能に組み合されて分離型複列アンギュラ玉軸受となる外輪アッシィにおいて、外輪の２列の軌道溝のうち一方側の軌道溝が肩を落としたカウンタボア形状であり、外輪のカウンタボアの形成されていない軌道溝に玉の列が保持されていて、玉は、称呼寸法からなる理想的な形状の内輪アッシィに対して所定の組幅精度になる寸法のものであることを特徴とする。
【００１４】
上記構成によっても、玉のゲージを利用して、外輪の称呼寸法に対する誤差を吸収し、より称呼寸法に近い外輪アッシィが実現できる。したがって、軸受全体としても寸法精度を高め、品質を向上させることができる。
【００１５】
上記課題を解決するために、本発明にかかる内輪アッシィの代表的な構成は、所定の外輪アッシィと分離可能に組み合されて分離型複列アンギュラ玉軸受となる内輪アッシィにおいて、内輪の２列の軌道溝のうち一方側の軌道溝が肩を落としたカウンタボア形状であり、内輪のカウンタボアの形成されていない軌道溝に玉の列が保持されていて、玉は、称呼寸法からなる理想的な形状の外輪アッシィに対して所定の組幅精度になる寸法のものであることを特徴とする。
【００１６】
上記構成によっても、玉のゲージを利用して、内輪の称呼寸法に対する誤差を吸収し、より称呼寸法に近い内輪アッシィが実現できる。したがって、軸受全体としても寸法精度を高め、品質を向上させることができる。
【００１７】
上記課題を解決するために、本発明にかかる分離型複列アンギュラ玉軸受の他の代表的な構成は、外輪と内輪と２列の玉とを備えた分離型複列アンギュラ玉軸受において、外輪は２列の軌道溝のうち一方側の軌道溝が肩を落としたカウンタボア形状であり、内輪は２列の軌道溝のうち他方側の軌道溝が肩を落としたカウンタボア形状であり、外輪とカウンタボアの形成されていない軌道溝に保持された玉の列とを含む外輪アッシィが形成され、内輪とカウンタボアの形成されていない軌道溝に保持された玉の列とを含む内輪アッシィが形成されていて、外輪アッシィの玉は、称呼寸法からなる理想的な形状の内輪アッシィに対して所定の組幅精度になる寸法のものであり、内輪アッシィの玉は、称呼寸法からなる理想的な形状の外輪アッシィに対して所定の組幅精度になる寸法のものであることを特徴とする。
【００１８】
上記構成によれば、玉のゲージを利用して、外輪および内輪のそれぞれの称呼寸法に対する誤差を吸収し、より称呼寸法に近い外輪アッシィおよび内輪アッシィが実現できる。これら称呼寸法に近い外輪アッシィおよび内輪アッシィであれば、分離後に他の外輪アッシィおよび内輪アッシィと再組立てした場合にも、軸受としての組幅精度および玉の同時接触を保証することができる。すなわち、上記構成であれば、寸法精度の高い軸受が実現できるだけでなく、分離後に他の外輪アッシィおよび内輪アッシィと組み替えても品質が維持できる、互換性の高い分離型複列アンギュラ玉軸受を提供することができる。
【００１９】
当該分離型複列アンギュラ玉軸受は、外輪および内輪が玉と多点接触可能になっていてもよい。当該分離型複列アンギュラ玉軸受は玉の同時接触が保証されているため、さらに３点や４点等の多点接触に設定することでより負荷能力が大きく剛性も高い軸受を提供することができる。
【発明の効果】
【００２０】
本発明によれば、寸法精度が高く、さらには他の外輪アッシィおよび内輪アッシィとの互換性が確保された分離型複列アンギュラ玉軸受とその外輪アッシィおよび内輪アッシィを提供することが可能になる。
【図面の簡単な説明】
【００２１】
【図１】本発明の実施形態にかかる分離型複列アンギュラ玉軸受を用いた差動装置の図である。
【図２】図１の分離型複列アンギュラ玉軸受を拡大して示した図である。
【図３】外輪アッシィの玉の選定を説明する図である。
【図４】内輪アッシィの玉の選定を説明する図である。
【図５】分離型複列アンギュラ玉軸受の変形例を示した図である。
【発明を実施するための形態】
【００２２】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示または説明を省略する。
【００２３】
（分離型複列アンギュラ玉軸受１００）
図１は、本発明の実施形態にかかる分離型複列アンギュラ玉軸受１００を用いた差動装置１０２の図である。図１に示す差動装置１０２では、当該分離型複列アンギュラ玉軸受１００と他のアンギュラ玉軸受１０４を使用して、ピニオン軸１０６を回転可能に支えている。
【００２４】
差動装置１０２では、リングギヤ１０８とピニオンギヤ１１０が噛合している。ピニオンギヤ１１０はピニオン軸１０６（ギヤ軸）の一端に備えられていて、ピニオン軸１０６の他端にはフランジ１１２（コンパニオンフランジ、または接続フランジともいう）が備えられている。フランジ１１２は不図示のプロペラシャフトに接続される部位である。ピニオン軸１０６やピニオンギヤ１１０の外側には、ハウジング１１４が設けられている。
【００２５】
分離型複列アンギュラ玉軸受１００は、ピニオンギヤ１１０の近傍に設けられている。分離型複列アンギュラ玉軸受１００は、外輪１１６がハウジング１１４に固定されていて、内輪１１８がピニオン軸１０６に固定されている。アンギュラ玉軸受１０４は、フランジ１１２の近傍（ピニオン軸１０６のうちピニオンギヤ１１０とは反対側）に設けられている。
【００２６】
図２は、図１の分離型複列アンギュラ玉軸受１００を拡大して示した図である。図２（ａ）は、分離型複列アンギュラ玉軸受１００の全体の概要を示している。図２（ａ）に示すように、当該分離型複列アンギュラ玉軸受１００は、外輪１１６と、内輪１１８と、これら外輪１１６と内輪１１８との間に形成された２列の玉１２０、１２２を備えている。本実施形態では、玉１２０、１２２は、同じ呼び直径で、同じピッチ径に設定されている。
【００２７】
分離型複列アンギュラ玉軸受１００は、外輪１１６および玉１２０を含む外輪アッシィ１２４と、内輪１１８および玉１２２を含む内輪アッシィ１２６とに分離可能になっている。分離型複列アンギュラ玉軸受１００は、外輪アッシィ１２４をハウジング１１４（図１参照）に固定し、内輪アッシィ１２６をピニオン軸１０６に固定して、分離することができる。分離型複列アンギュラ玉軸受１００は、分離可能になっていることで、ハウジング１１４およびピニオン軸１０６の組立て作業を行いやすくするだけでなく、そのメンテナンスや再組立てなどの作業も行いやすくする。
【００２８】
図２（ｂ）は、図２（ａ）の外輪アッシィ１２４を単独で示した図である。外輪アッシィ１２４は、外輪１１６と一列の玉１２０、および保持器１２８から構成されている。外輪１１６は、内輪アッシィ１２６（図２（ａ）参照）と分離可能に組み合わせるために、２列の軌道溝１３０、１３２のうち、一方側の軌道溝１３２の肩を落とし、カウンタボア形状１３４が設けられているになっている。玉１２０は、カウンタボアの形成されていない軌道溝１３０に保持されている。保持器１２８は、玉１２０の列を軌道溝１３０に保持したまま内輪アッシィ１２６との分離を可能にしている。
【００２９】
図２（ｃ）は、図２（ａ）の内輪アッシィ１２６を単独で示した図である。内輪アッシィ１２６は、内輪１１８と一列の玉１２２、および保持器１３６から構成されている。内輪１１８は、外輪アッシィ１２４（図２（ｂ）参照）と分離可能に組み合わせるために、２列の軌道溝１３８、１４０のうち、軌道溝１３２（図２（ｂ））に対して他方側となる軌道溝１３８の肩を落とし、カウンタボア形状１４２になっている。玉１２２は、カウンタボアの形成されていない軌道溝１４０に保持されている。保持器１３６は、玉１２２の列を軌道溝１４０に保持したまま外輪アッシィ１２４との分離を可能にしている。
【００３０】
図２（ａ）に示した本実施形態の分離型複列アンギュラ玉軸受１００は、外輪１１６および内輪１１８の製造誤差に合わせて、玉１２０、１２２のゲージ（ロットの平均直径と呼び直径との寸法差）を選定している。ここで重要なことは、外輪アッシィ１２４と内輪アッシィ１２６がそれぞれ玉の列を有していて、外輪アッシィ１２４においては後述する基準内輪に対して玉のゲージを選定し、内輪アッシィ１２６においては後述する基準外輪に対して玉のゲージを選定していることである。これにより、同一規格の他の軸受の外輪アッシィおよび内輪アッシィとの互換性を確保することができる。以下、外輪アッシィ１２４および内輪アッシィ１２６の構成について、さらに説明を行う。
【００３１】
（外輪アッシィ）
図３は外輪アッシィ１２４の玉の選定を説明する図である。図３（ａ）は玉の選定前の状態を示している。本実施形態では、外輪アッシィ１２４に設ける玉１２０を選定するために、基準内輪１４４を利用している。
【００３２】
基準内輪１４４は、称呼寸法からなる理想的な形状の内輪アッシィである。例えば、基準内輪１４４は、内輪１４６の幅、軌道面１４８、１４９の径および曲率半径、玉１５０の直径がすべて、分離型複列アンギュラ玉軸受１００（図２（ａ）参照）の称呼寸法（きわめて小さい誤差）で形成されている。外輪アッシィ１２４は、基準内輪１４４を利用し、分離型複列アンギュラ玉軸受１００を組み上げたときの組幅精度および２列の玉の同時接触性が所定の値になるよう、玉の寸法（ゲージ）が選定される。
【００３３】
玉のゲージを選定するために、まず外輪アッシィ１２４を、外輪１１６と、任意の玉１５２とで組む。玉１５２は、分離型複列アンギュラ玉軸受１００の玉の称呼寸法から選んだ任意のゲージのものである。そして、外輪アッシィ１２４を基準内輪１４４とペアにし、軸受１５４を形成する。
【００３４】
軸受１５４は、測定装置で寸法等の各種項目を測定する。測定した値の成績からは、基準内輪１４４がきわめて小さい誤差で形成されていることから、外輪１１６の製造誤差が判明する。特に、二列の軌道溝１３０、１３２に対して、軌道径ｄ１と軌道径ｄ２とに相互差が生じているか否か、軌道径の互いの距離（ピッチＰｅ）が称呼寸法から乖離しているか否かが判明する。
【００３５】
外輪１１６に軌道溝１３０を設けるとき、破線で示す理想的な形状と比べて、実線で示す実際の形状には誤差が生じていることがある。その結果、例えば、軌道径ｄ１と軌道径ｄ２とに相互差Δｄｏ（Δｄｏ＞０）が表れ、軌道径の互いの距離に称呼寸法に対する乖離値ΔＰｅ（ΔＰｅ＞０）が表れた場合、玉１５２が内輪１４６に接触していても、玉１５０が外輪１１６に接触しないことがある。この場合、外輪１１６と玉１５０とは、軸受１５４に外力が加わってその分の変位が生じたときに初めて接触し、接触点も当初の設定からずれてしまう。このときの外輪１１６と玉１５０との接触遅れ量が、相互差Δｄｏおよび乖離値ΔＰｅを得ることで計算可能になる。
【００３６】
外輪アッシィ１２４と基準内輪１４４との同時接触は、相互差Δｄｏおよび乖離値ΔＰｅを吸収することで達成できる。基準内輪１４４の玉１５０は称呼寸法（きわめて小さい誤差）であるため、外輪アッシィ１２４の接触遅れ量は玉１５２を交換することで吸収できる。
【００３７】
図３（ｂ）は玉の選定後の状態を示している。玉１５２（図３（ａ）参照）を設置した場合の接触遅れ量をもとにゲージを選定し、例えば小さいサイズの玉１２０を選定する。選定後の玉１２０によれば、選定前の玉１５２（図３（ａ）参照）に比べて、外輪１１６の軌道溝１３０側に軸方向のすきまが得られ、軌道溝１３２と玉１５０とも当初の設定に近い状態で接触する。これによって、外輪アッシィ１２４と基準内輪１４４の同時接触が可能になる。
【００３８】
上記のように、当該外輪アッシィ１２４は、外輪１１６の軌道径の相互差Δｄｏやピッチの乖離値ΔＰｅなどの誤差を、玉１２０のゲージを利用して吸収可能になっている。本実施形態であれば、より称呼寸法に近い外輪アッシィ１２４が実現できる。この外輪アッシィ１２４であれば、分離型複列アンギュラ玉軸受１００（図２（ａ）参照）の寸法精度を高め、２列の玉の同時接触性も確保してその品質を向上させることができる。また、外輪アッシィ１２４は寸法精度が高いため、他の外輪アッシィとも高い互換性を有し、特定の内輪アッシィ１２６（図２（ａ）参照）だけでなく、他の内輪アッシィと組み合わせた場合にも、寸法精度の高い分離型複列アンギュラ玉軸受１００を実現することができる。
【００３９】
なお、図３（ａ）の場合において、外輪１１６の製造誤差の程度によっては、基準内輪１４４の玉１５０が先に外輪アッシィ１２４に接触し、外輪アッシィ１２４側の玉が基準内輪１４４に接触しない場合もある。その場合は、玉１２０にゲージの大きい玉を選定することで、外輪アッシィ１２４と基準内輪１４４との同時接触が可能になる。このように、本実施形態の技術的思想であれば、外輪アッシィ１２４と基準内輪１４４との接触遅れ量に合わせて玉のゲージを選定することで、互換性のある外輪アッシィ１２４および分離型複列アンギュラ玉軸受１００が実現できる。
【００４０】
（内輪アッシィ）
図４は内輪アッシィ１２６の玉の選定を説明する図である。図４（ａ）は玉の選定前の状態を示している。内輪アッシィ１２６も、上述した外輪アッシィ１２４と同様の手法で、称呼寸法からなる理想的な形状の外輪アッシィである基準外輪１６０を利用し、分離型複列アンギュラ玉軸受１００を組み上げたときの組幅精度および２列の玉の同時接触性が所定の値になるよう、玉の寸法（ゲージ）が選定されている。
【００４１】
基準外輪１６０も、外輪１６２の幅、軌道面１６４、１６６の径および曲率半径、玉１６８の直径がすべて、分離型複列アンギュラ玉軸受１００（図２（ａ）参照）の称呼寸法（きわめて小さい誤差）で形成されている。
【００４２】
内輪アッシィ１２６もまた、内輪１１８と、任意のゲージの玉１７０とで組む。玉１７０は、分離型複列アンギュラ玉軸受１００の玉の称呼寸法から選んだ任意のゲージのものである。そして、内輪アッシィ１２６と基準外輪１６０とをペアにし、軸受１７２を形成する。そして、測定装置で軸受１７２の寸法等を測定し、内輪１１８の製造誤差を判定する。
【００４３】
例えば、内輪１１８に軌道溝１４０を設けるときも、破線で示す理想的な形状と比べて、実線で示す実際の形状には誤差が生じていることがある。その場合、玉１７０が外輪１６２に接触していても、玉１６８が内輪１１８に接触しないことがある。すると、軸受１７２に外力が加わったときに玉１６８と内輪１１８とが初めて接触し、接触点も当初の設定からずれてしまう。このような内輪１１８の誤差が、二列の軌道溝１３８、１４０に対して、軌道径Ｄ１と軌道径Ｄ２とに相互差が生じているか否か、軌道径の互いの距離（ピッチＰｉ）が称呼寸法から乖離しているか否かによって判明する。
【００４４】
内輪アッシィ１２６と基準外輪１６０との同時接触もまた、相互差ΔＤｏおよび乖離値ΔＰｉを吸収することで達成できる。基準外輪１６０の玉１６８は称呼寸法（きわめて小さい誤差）であるため、内輪アッシィ１２６の接触遅れ量は玉１７０を交換することで吸収できる。
【００４５】
図４（ｂ）は玉の選定後の状態を示している。玉１７０（図４（ａ）参照）を設置した場合の接触遅れ量をもとに、例えば小さいゲージの玉１２２を選定する。選定後の玉１２２によれば、選定前の玉１７０（図４（ａ）参照）に比べて、内輪１１８の軌道溝１４０側に軸方向のすきまが得られ、軌道溝１３８と玉１６８とも当初の設定に近い状態で接触する。これによって、内輪アッシィ１２６と基準外輪１６０の同時接触が可能になる。また、基準外輪１６０の玉１６８が先に当たってしまう場合には、玉１２２にゲージの大きい玉を選定することで、内輪アッシィ１２６と基準外輪１６０との同時接触が可能になる。
【００４６】
上記のように、当該内輪アッシィ１２６は、内輪１１８の軌道径の相互差ΔＤｏやピッチの乖離値ΔＰｉなどの誤差を、玉１２２のゲージを利用して吸収可能になっている。本実施形態であれば、より称呼寸法に近い内輪アッシィ１２６が実現できる。この内輪アッシィ１２６であれば、分離型複列アンギュラ玉軸受１００（図２（ａ）参照）の寸法精度を高め、２列の玉の同時接触性も確保してその品質を向上させることができる。また、内輪アッシィ１２６は寸法精度が高いため、他の内輪アッシィとも高い互換性を有し、特定の外輪アッシィ１２４（図２（ａ）参照）だけでなく、他の外輪アッシィと組み合わせた場合にも、寸法精度の高い分離型複列アンギュラ玉軸受１００を実現することができる。
【００４７】
以上のように、図２（ａ）の分離型複列アンギュラ玉軸受１００は、玉１２０、１２２のゲージを利用して、外輪１１６および内輪１１８のそれぞれの称呼寸法に対する誤差を吸収し、より称呼寸法に近い外輪アッシィ１２４および内輪アッシィ１２６を実現している。これら称呼寸法に近い外輪アッシィ１２４および内輪アッシィ１２６であれば、分離後に他の外輪アッシィおよび内輪アッシィと再組立てした場合にも、軸受としての組幅精度および玉の同時接触を保証することができる。このように、当該分離型複列アンギュラ玉軸受１００は、高い寸法精度を実現しているだけでなく、分離後に他の外輪アッシィおよび内輪アッシィと組み替えても品質が維持できる、互換性の高い構造を実現している。
【００４８】
（変形例）
図５は分離型複列アンギュラ玉軸受１００の変形例を示した図である。図５に示す各変形例は、玉の接触点の数において、図２（ａ）の分離型複列アンギュラ玉軸受１００と構成が異なっている。なお、以降の記載において、既に説明した構成要素については、同じ符号を付することによって、その説明を省略する。また、異なる符号が付された構成要素であっても、既に説明した構成要素と同じ名称のものは、同じ構成および機能を有するものとする。
【００４９】
図５（ａ）に示す第１変形例の分離型複列アンギュラ玉軸受２００では、外輪２０２および内輪２０４が、玉１２０、１２２と３点接触する構成になっている。上述したように、外輪アッシィ１２４および内輪アッシィ１２６は、玉１２０、１２２の同時接触が保証されている。そのため、玉１２０、１２２と３点接触する外輪２０２および内輪２０４を採用することによって、より負荷能力が大きく剛性も高い分離型アンギュラ玉軸受２００を実現することができる。
【００５０】
図５（ｂ）に示す第２変形例の分離型複列アンギュラ玉軸受２２０では、外輪２２２および内輪２２４が、玉１２０、１２２と４点接触する構成になっている。玉１２０、１２２と４点接触する外輪２２２および内輪２２４を採用することによっても、より負荷能力が大きく剛性も高い分離型アンギュラ玉軸受２２０を実現することができる。
【００５１】
図５（ｃ）に示す第３変形例の分離型複列アンギュラ玉軸受２４０では、外輪２４２および内輪２４４は、玉１２０と２点で接触し、玉１２２と３点で接触する構成になっている。このように、玉１２０、１２２それぞれに応じて接触点の数が異なる外輪２４２および内輪２４４を採用することによっても、より負荷能力が大きく剛性も高い分離型アンギュラ玉軸受２４０を実現することができる。
【００５２】
以上のように、分離型複列アンギュラ玉軸受１００のもつ技術的思想は、多点接触の軸受としても実現可能である。これによって、負荷能力や剛性を向上させ、目的に応じた性能の軸受を提供することが可能になる。
【００５３】
以上、添付図面を参照しながら本発明の好適な実施例について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５４】
本発明は、分離型複列アンギュラ玉軸受とその外輪アッシィおよび内輪アッシィに利用することができる。
【符号の説明】
【００５５】
Ｄ１…内輪の左側の軌道径、Ｄ２…内輪の右側の軌道径、ｄ１…外輪輪の左側の軌道径、ｄ２…外輪の右側の軌道径、Ｐｅ…外輪の軌道径のピッチ、Ｐｉ…内輪の軌道径のピッチ、１００…分離型複列アンギュラ玉軸受、１０２…差動装置、１０４…アンギュラ玉軸受、１０６…ピニオン軸、１０８…リングギヤ、１１０…ピニオンギヤ、１１２…フランジ、１１４…ハウジング、１１６…外輪、１１８…内輪、１２０…外輪アッシィの玉、１２２…内輪アッシィの玉、１２４…外輪アッシィ、１２６…内輪アッシィ、１２８…外輪アッシィの保持器、１３０…外輪の左側の軌道溝、１３２…外輪の右側の軌道溝、１３４…外輪のカウンタボア形状、１３６…内輪アッシィの保持器、１３８…内輪の左側の軌道溝、１４０…内輪の右側の軌道溝、１４２…内輪のカウンタボア形状、１４４…基準内輪、１４６…内輪、１４８…左側の軌道面、１４９…右側の軌道面、１５０…基準内輪の玉、１５２…任意の玉、１５４…軸受、１６０…基準外輪、１６２…外輪、１６４…左側の軌道面、１６６…右側の軌道面、１６８…基準外輪の玉、１７０…任意の玉、１７２…軸受、２００…第１変形例の分離型複列アンギュラ玉軸受、２０２…外輪、２０４…内輪、２２０…第２変形例の分離型複列アンギュラ玉軸受、２２２…外輪、２２４…内輪、２４０…第２変形例の分離型複列アンギュラ玉軸受、２４２…外輪、２４４…内輪、Ｐｉ…ピッチ
【図１】
2018096395.tif 000003
【図２】
2018096395.tif 000004
【図３】
2018096395.tif 000005
【図４】
2018096395.tif 000006
【図５】
2018096395.tif 000007